(57)【特許請求の範囲】
【請求項１】
商品と関連付けてウェブサイトを管理する手段と、
実店舗に設置される装置により、ユーザがアクセスしたウェブサイトの履歴に関する履歴情報を、前記ユーザが所持する端末装置から取得する手段と、
前記実店舗に設置される装置により、前記ユーザが選択した商品の決済を行う手段と、
前記決済が終了すると、前記実店舗に設置される装置から、前記端末装置から取得した履歴情報と、前記商品の購買情報とを関連付けて送信する手段と、
関連付けられた前記履歴情報と、前記購買情報とに基づき、前記管理しているウェブサイトから、前記ユーザが前記商品の購入の際に参照したウェブサイトを特定する手段と、
前記特定したウェブサイトと関係する主体へ報酬を付与する手段と
を具備し、
前記特定する手段は、参照したウェブサイトが複数ある場合、前記ユーザがアクセスした日時、ウェブサイトの更新日時、他ユーザからの評価、付与された報酬、ウェブサイトの容量、及び、前記ユーザの評価の少なくともいずれかに基づいてウェブサイトを特定するシステム。
【請求項２】
ユーザがアクセスしたウェブサイトの履歴を表すトラッキング情報を記憶する手段を具備し、
前記取得する手段は、実店舗に設置される装置により、前記ユーザのトラッキング情報を特定可能な第１情報を前記履歴情報として取得し、
前記送信する手段は、前記第１情報と、前記商品の購買情報とを関連付けて送信し、
前記購買情報と関連付けられている第１情報に基づき、前記記憶しているトラッキング情報から、商品を購入したユーザのトラッキング情報を前記履歴情報として取得する手段を具備し、
前記特定する手段は、取得した前記トラッキング情報と、前記購買情報とに基づき、前記管理しているウェブサイトから、前記ユーザが前記商品の購入の際に参照したウェブサイトを特定する請求項１記載のシステム。
【請求項３】
前記送信する手段から送信された情報を記憶する手段を具備し、
前記特定する手段は、前記記憶する手段に記憶されている情報を読み出して前記ウェブサイトを特定する請求項１又は２に記載のシステム。
【請求項４】
商品と関連付けてウェブサイトを管理する手段と、
実店舗に設置される装置により、ユーザが選択した商品の決済を行う手段と、
前記決済が終了すると、前記商品の購買情報を特定するための決済の識別情報を、前記ユーザが所持する端末装置へ提供する手段と、
前記決済が終了すると、前記実店舗に設置される装置から、前記商品の購買情報を送信する手段と、
前記識別情報と、前記識別情報と関連付けられた、前記ユーザがアクセスしたウェブサイトの履歴に関する履歴情報とを、前記端末装置から受信する手段と、
関連付けられた前記履歴情報と、前記識別情報によって特定される購買情報とに基づき、前記管理しているウェブサイトから、前記ユーザが前記商品の購入の際に参照したウェブサイトを特定する手段と、
前記特定したウェブサイトと関係する主体へ報酬を付与する手段と
を具備するシステム。
【請求項５】
ユーザがアクセスしたウェブサイトの履歴を表すトラッキング情報を記憶する手段を具備し、
前記受信する手段は、前記識別情報と、前記識別情報と関連付けられた、前記ユーザのトラッキング情報を特定可能な、前記履歴情報としての第１情報とを、前記端末装置から受信し、
前記識別情報と関連付けられている第１情報に基づき、前記記憶しているトラッキング情報から、商品を購入したユーザのトラッキング情報を前記履歴情報として取得する手段を具備し、
前記特定する手段は、取得した前記トラッキング情報と、前記識別情報によって特定される購買情報とに基づき、前記管理しているウェブサイトから、前記ユーザが前記商品の購入の際に参照したウェブサイトを特定する請求項４記載のシステム。
【請求項６】
前記受信する手段で受信された情報を記憶する手段を具備し、
前記特定する手段は、前記記憶する手段に記憶されている情報を読み出して前記ウェブサイトを特定する請求項４又は５に記載のシステム。
【請求項７】
前記特定する手段は、参照したウェブサイトが複数ある場合、前記ユーザがアクセスした日時、ウェブサイトの更新日時、他ユーザからの評価、付与された報酬、ウェブサイトの容量、及び、前記ユーザの評価の少なくともいずれかに基づいてウェブサイトを特定する請求項４乃至６のいずれかに記載のシステム。
【請求項８】
前記付与する手段は、ウェブサイトのユーザに視認可能に前記報酬を付与する請求項１乃至７のいずれかに記載のシステム。
【請求項９】
前記ユーザにより購入された商品の提供元へ費用を請求する手段を具備する請求項１乃至８のいずれかに記載のシステム。
【請求項１０】
プロセッサと、メモリとを備えるコンピュータが実行する方法であって、
商品と関連付けてウェブサイトを管理するステップと、
実店舗に設置される装置により、ユーザがアクセスしたウェブサイトの履歴に関する履歴情報を、前記ユーザが所持する端末装置から取得するステップと、
前記実店舗に設置される装置により、前記ユーザが選択した商品の決済を行うステップと、
前記決済が終了すると、前記実店舗に設置される装置から、前記端末装置から取得した履歴情報と、前記商品の購買情報とを関連付けて送信するステップと、
関連付けられた前記履歴情報と、前記購買情報とに基づき、前記管理しているウェブサイトから、前記ユーザが前記商品の購入の際に参照したウェブサイトを特定するステップと、
前記特定したウェブサイトと関係する主体へ報酬を付与するステップと
を実行し、
前記特定するステップにおいて、参照したウェブサイトが複数ある場合、前記ユーザがアクセスした日時、ウェブサイトの更新日時、他ユーザからの評価、付与された報酬、ウェブサイトの容量、及び、前記ユーザの評価の少なくともいずれかに基づいてウェブサイトを特定する方法。
【請求項１１】
プロセッサと、メモリとを備えるコンピュータが実行する方法であって、
商品と関連付けてウェブサイトを管理するステップと、
実店舗に設置される装置により、ユーザが選択した商品の決済を行うステップと、
前記決済が終了すると、前記商品の購買情報を特定するための決済の識別情報を、前記ユーザが所持する端末装置へ提供するステップと、
前記決済が終了すると、前記実店舗に設置される装置から、前記商品の購買情報を送信するステップと、
前記識別情報と、前記識別情報と関連付けられた、前記ユーザがアクセスしたウェブサイトの履歴に関する履歴情報とを、前記端末装置から受信するステップと、
関連付けられた前記履歴情報と、前記識別情報によって特定される購買情報とに基づき、前記管理しているウェブサイトから、前記ユーザが前記商品の購入の際に参照したウェブサイトを特定するステップと、
前記特定したウェブサイトと関係する主体へ報酬を付与するステップと
を実行する方法。
【発明の詳細な説明】
【技術分野】
【０００１】
本開示は、システム、及び方法に関する。
【背景技術】
【０００２】
インターネット広告では、アフィリエイトと呼ばれる成功報酬型の広告が普及している。アフィリエイトでは、例えば、個人がブログ等の広告媒体サイトを開設し、広告媒体サイト内に広告バナーを設置する。広告バナーは、例えば、インターネット上のＥＣ（Electronic Commerce）サイトとリンク付けられている。ユーザが端末装置を操作して広告媒体サイト内の広告バナーをクリックし、リンク先のＥＣサイトで購買、登録等の所定のアクションを実行すると、広告媒体サイトに報酬（広告料）が与えられる。
【０００３】
ところで、インターネット広告の効果は、ＥＣサイトでの購買行動だけではなく、ネット外の実店舗での購買行動にも表れる。例えば、商品が紹介される広告媒体サイトに訪れたユーザが、広告媒体サイトで紹介される内容を信頼し、該当する商品を実店舗である小売店で購入する場合もある。
【０００４】
特許文献１では、ユーザがインターネット広告に基づいて、その広告で紹介する指定商品をネット外の実店舗で購入した場合に、その購入の直接のきっかけとなったインターネット広告の媒体サイトを特定し、特定した媒体サイトに対するアフィリエイト報酬評価を実際の広告効果に即して行うことが記載されている。
【先行技術文献】
【特許文献】
【０００５】
【特許文献１】特開２０１０−２５０７５２号公報
【発明の概要】
【発明が解決しようとする課題】
【０００６】
特許文献１に係る発明では、商品のシリアルＩＤと、商品購入確認ページＵＲＬとを記述した情報が、商品のパッケージ等に印刷される。購入者は、商品を購入すると、商品に印刷されている情報から商品購入確認ページにアクセスし、アクセスした商品購入確認ページにおいて所定の入力フォームにシリアルＩＤを入力する。サーバは、購入者から入力されたシリアルＩＤの照合・検査結果に基づき、購入者に購入のきっかけを作った広告媒体サイトを特定する。
【０００７】
このように、特許文献１に係る仕様では、シリアルＩＤと、商品購入確認ページＵＲＬとを記述した情報を商品に印刷する必要がある。また、購入者は、商品の購入後に商品購入確認ページへアクセスし、商品購入確認ページの入力フォームにシリアルＩＤを入力する必要がある。このため、商品の生産者及び購入者に負担がかかる仕様となっている。
【０００８】
そこで、本開示の目的は、利用者への負担を避けながら、商品を購入するきっかけとなったサイトに報酬を付与することである。
【課題を解決するための手段】
【０００９】
上記課題を解決するため、システムは、商品と関連付けてウェブサイトを管理する手段と、実店舗に設置される装置により、ユーザがアクセスしたウェブサイトの履歴に関する履歴情報を、ユーザが所持する端末装置から取得する手段と、実店舗に設置される装置により、ユーザが選択した商品の決済を行う手段と、決済が終了すると、実店舗に設置される装置から、端末装置から取得した履歴情報と、商品の購買情報とを関連付けて送信する手段と、関連付けられた履歴情報と、購買情報とに基づき、管理しているウェブサイトから、ユーザが商品の購入の際に参照したウェブサイトを特定する手段と、特定したウェブサイトと関係する主体へ報酬を付与する手段とを具備する。
【発明の効果】
【００１０】
本開示によれば、利用者への負担を避けながら、商品を購入するきっかけとなったサイトに報酬を付与できる。
【図面の簡単な説明】
【００１１】
【図１】本実施形態に係るシステムの全体構成を示す図である。
【図２】本実施形態のシステムに含まれる端末装置の構成を表すブロック図である。
【図３】第１サーバの機能的な構成を表すブロック図である。
【図４】ＰＯＳ端末の構成を表すブロック図である。
【図５】ウェブサイト情報ＤＢのデータ構造を示す図である。
【図６】商品情報ＤＢのデータ構造を示す図である。
【図７】トラッキング情報ＤＢのデータ構造を示す図である。
【図８】販売情報ＤＢのデータ構造を示す図である。
【図９】本実施形態の第１サーバがウェブサイトと関係する主体に報酬を付与する際の概念図である。
【図１０】本実施形態の第１サーバがウェブサイトと関係する主体に報酬を付与する際の端末装置、第１サーバ、ＰＯＳ端末、及び第２サーバの動作を説明する図である。
【図１１】図１０においてＰＯＳ端末が会計に関する処理を実施する際の制御部の動作を表すフローチャートである。
【図１２】図１０において第１サーバがウェブサイトと関係する主体に報酬を付与する際の制御部の動作を表すフローチャートである。
【図１３】通信装置が購買情報及び第１情報を第１サーバへ送信する際のシステムの概念図である。
【図１４】端末装置が第１情報及び第２情報を第１サーバへ送信する際のシステムの概念図である。
【図１５】第１サーバがウェブサイトと関係する主体に報酬を付与する際の端末装置、第１サーバ、ＰＯＳ端末、及び第２サーバの動作を説明する図である。
【図１６】ＰＯＳ端末が購買情報と登録情報とを第１サーバへ送信する際のシステムの概念図である。
【図１７】第１サーバがウェブサイトと関係する主体に報酬を付与する際の端末装置、第１サーバ、ＰＯＳ端末、及び第２サーバの動作を説明する図である。
【図１８】ＤＭＰとして機能する第１サーバがウェブサイトと関係する主体に報酬を付与する際の概念図である。
【図１９】第１サーバがウェブサイトと関係する主体に報酬を付与する際の端末装置、第１サーバ、ＰＯＳ端末、第２サーバ、及び第３サーバの動作を説明する図である。
【図２０】通信装置が購買情報及び第１情報を第３サーバへ送信する際のシステムの概念図である。
【図２１】端末装置が第１情報及び第２情報を第３サーバへ送信する際のシステムの概念図である。
【発明を実施するための形態】
【００１２】
以下、図面を参照しながら、実施の形態について説明する。なお、以下に説明する本実施形態は、特許請求の範囲に記載された本開示の内容を不当に限定するものではない。また本実施形態で説明される構成の全てが、本開示の必須構成要件であるとは限らない。
【００１３】
＜概要＞
本実施形態に係るシステム１は、商品を紹介するブログ等のウェブサイトを管理する。また、システム１は、ユーザがインターネット上のウェブサイトを訪れた履歴を管理する。システム１は、例えば、ユーザがアクセスしたウェブサイトの履歴を表すトラッキング情報を用いて閲覧履歴を管理する。システム１は、ウェブサイトで商品を参照したユーザが、参照した商品を実店舗で購入した場合、参照したウェブサイトと関係する主体に報酬を付与する。
【００１４】
＜１  全体構成＞
図１は、本実施形態に係るシステム１の全体構成の例を示す図である。図１に示すように、システム１は、端末装置１０と、第１サーバ２０と、ＰＯＳ（Point of Sales）端末３０と、第２サーバ４０とを備えている。端末装置１０と、第１サーバ２０と、ＰＯＳ端末３０と、第２サーバ４０とは、有線又は無線の通信規格を用い、ネットワーク８０を介して相互に通信可能に接続されている。ネットワーク８０は、例えば、インターネット、及び／又は通信事業者が提供する通信網等により実現される。
【００１５】
図１の例では、１台の端末装置１０がシステム１に含まれているが、含まれる端末装置１０の数は１台に限定されない。また、図１の例では、１台のＰＯＳ端末３０がシステム１に含まれているが、含まれるＰＯＳ端末３０の数は１台に限定されない。また、図１の例では、第１サーバ２０が１台のコンピュータにより実現される場合を示しているが、第１サーバ２０は、複数台のコンピュータが組み合わされて実現されてもよい。また、図１の例では、第２サーバ４０が１台のコンピュータにより実現される場合を示しているが、第２サーバ４０は、複数台のコンピュータが組み合わされて実現されてもよい。
【００１６】
端末装置１０は、ユーザが使用する端末である。ユーザは、端末装置１０を操作し、例えば、商品が紹介されているウェブサイトに訪れ、商品の紹介文を読む。また、ユーザは、実店舗において商品を購入する際に、端末装置１０を操作し、ＰＯＳ端末３０へ所定の情報を提供する。端末装置１０は、例えば、スマートフォン、又はタブレット端末等の携行性を備えた端末により実現される。また、端末装置１０は、ラップトップＰＣ（Personal Computer）、ヘッドマウントディスプレイ等により実現されてもよい。
【００１７】
図１に示すように、端末装置１０は、通信ＩＦ（Interface）１２と、入力装置１３と、出力装置１４と、メモリ１５と、ストレージ１６と、プロセッサ１９とを備える。通信ＩＦ１２、入力装置１３、出力装置１４、メモリ１５、ストレージ１６、及びプロセッサ１９は、例えば、バスを介して互いに通信可能に接続されている。
【００１８】
通信ＩＦ１２は、端末装置１０が外部の装置と通信するため、信号を入出力するためのインタフェースである。入力装置１３は、ユーザからの入力操作を受け付けるための装置（例えば、タッチパネル、タッチパッド、マウス等のポインティングデバイス、キーボード等）である。出力装置１４は、ユーザに対して情報を提示するための装置（ディスプレイ、スピーカ等）である。
【００１９】
メモリ１５は、プログラム、および、プログラム等で処理されるデータ等を一時的に記憶するためのものであり、例えばＤＲＡＭ（Dynamic  Random  Access  Memory）等の揮発性のメモリである。ストレージ１６は、データを保存するためのものであり、例えばフラッシュメモリ、ＨＤＤ（Hard  Disc  Drive）等である。プロセッサ１９は、プログラムに記述された命令セットを実行するためのハードウェアであり、演算装置、レジスタ、周辺回路等により構成される。
【００２０】
第１サーバ２０は、商品を紹介、又は解説するウェブサイトを管理する。商品を紹介、又は解説するウェブサイトは、例えば、インターネットを利用する一般のユーザにより、第２サーバ４０で開設される。商品を紹介、又は解説するウェブサイトは、商品の提供元が開設する電子商取引のためのウェブサイト（ＥＣサイト）、及び、商品の提供元が提供するウェブページ等は含まない。また、第１サーバ２０は、例えば、ＥＣサイト、又は商品の提供元が提供するウェブページへユーザを誘導するウェブサイト、例えば、広告媒体サイト（アフィリエイトサイト）を管理する。つまり、第１サーバ２０は、ウェブサイトを、商品と関連付けて管理する。以下の説明において、ウェブサイトは、商品を紹介、又は解説するウェブサイトと、広告媒体サイトを含むものとする。
【００２１】
また、第１サーバ２０は、ウェブサイトで紹介、又は解説される商品を管理する。また、第１サーバ２０は、ユーザがインターネット上のウェブサイトを訪れた閲覧履歴を管理する。第１サーバ２０は、例えば、ユーザがアクセスしたウェブサイトを記憶するトラッキング情報を用いて閲覧履歴を管理する。第１サーバ２０は、例えば、ネットワーク８０に接続されたコンピュータにより実現される。
【００２２】
図１に示すように、第１サーバ２０は、通信ＩＦ２２と、入出力ＩＦ２３と、メモリ２５と、ストレージ２６と、プロセッサ２９とを備える。通信ＩＦ２２、入出力ＩＦ２３、メモリ２５、ストレージ２６、及びプロセッサ２９は、例えば、バスを介して互いに通信可能に接続されている。
【００２３】
通信ＩＦ２２は、第１サーバ２０が外部の装置と通信するため、信号を送受信するためのインタフェースである。入出力ＩＦ２３は、ユーザからの入力操作を受け付けるための入力装置、及び、ユーザに対し情報を提示するための出力装置とのインタフェースとして機能する。メモリ２５は、プログラム、及び、プログラム等で処理されるデータ等を一時的に記憶するためのものであり、例えばＤＲＡＭ等の揮発性のメモリにより実現される。
【００２４】
ストレージ２６は、データを保存するための記憶装置であり、例えばフラッシュメモリ、ＨＤＤ等の不揮発性のメモリにより実現される。ストレージ２６は、必ずしも単独の回路により実現されなくてもよい。ストレージ２６は、例えば、複数の記憶回路により実現されてもよい。プロセッサ２９は、プログラムに記述された命令セットを実行するためのハードウェアであり、演算装置、レジスタ、周辺回路などにより構成される。
【００２５】
ＰＯＳ端末３０は、例えば、店舗の店員が会計の際に操作する装置である。ＰＯＳ端末３０は、会計用の専用端末であってもよいし、会計アプリケーションがインストールされた情報処理装置であってもよい。情報処理装置は、例えば、スマートフォン、タブレット等の携帯端末でもよいし、据え置き型のＰＣ、ラップトップＰＣであってもよい。
【００２６】
図１に示すように、ＰＯＳ端末３０は、通信ＩＦ３２と、入力装置３３と、出力装置３４と、メモリ３５と、ストレージ３６と、プロセッサ３９とを備える。通信ＩＦ３２、入力装置３３、出力装置３４、メモリ３５、ストレージ３６、及びプロセッサ３９は、例えば、バスを介して互いに通信可能に接続されている。
【００２７】
通信ＩＦ３２は、ＰＯＳ端末３０が外部の装置と通信するため、信号を入出力するためのインタフェースである。入力装置３３は、店員からの入力操作を受け付けるための装置（例えば、タッチパネル、タッチパッド、マウス等のポインティングデバイス、キーボード等）である。また、入力装置３３は、商品についての情報を読み取るためのリーダーである。出力装置３４は、店員に対して情報を提示するための装置（ディスプレイ、スピーカ等）である。
【００２８】
メモリ３５は、プログラム、および、プログラム等で処理されるデータ等を一時的に記憶するためのものであり、例えばＤＲＡＭ等の揮発性のメモリである。ストレージ３６は、データを保存するためのものであり、例えばフラッシュメモリ、ＨＤＤ等である。プロセッサ３９は、プログラムに記述された命令セットを実行するためのハードウェアであり、演算装置、レジスタ、周辺回路等により構成される。
【００２９】
第２サーバ４０は、ウェブサイトが開設されているサーバである。第２サーバ４０は、例えば、ネットワーク８０に接続されたコンピュータにより実現される。第２サーバ４０の構成は、第１サーバ２０と同様である。なお、第２サーバ４０は、第１サーバ２０に組み込まれていてもよい。
【００３０】
第２サーバ４０は、ユーザが端末装置１０を操作してウェブサイトにアクセスすると、ウェブサイトにアクセスしたことを表すトラッキング情報を端末装置１０へ送信する。また、第２サーバ４０は、端末装置１０へ送信したトラッキング情報を第１サーバ２０へ送信する。
【００３１】
＜１．１  端末装置の構成＞
図２は、本実施形態のシステム１に含まれる端末装置１０の構成例を表すブロック図である。図２に示すように、端末装置１０は、通信部１２１と、入力装置１３と、出力装置１４と、カメラ１６０と、記憶部１７０と、制御部１８０とを備える。
【００３２】
通信部１２１は、端末装置１０が他の装置と通信するための処理を行う。通信部１２１は、制御部１８０で生成された信号に送信処理を施し、外部（例えば、第１サーバ２０）へ送信する。通信部１２１は、外部から受信した信号に受信処理を施し、制御部１８０へ出力する。
【００３３】
入力装置１３は、端末装置１０を所有するユーザが情報を入力するための装置である。入力装置１３は、例えば、マウス１３１、キーボード１３２、及び、操作面へ触れることで指示が入力されるタッチ・センシティブ・デバイス１３３等により実現される。また、入力装置１３は、マイク１３４により実現される。入力装置１３は、ユーザから入力される指示又は音声を電気信号へ変換し、電気信号を制御部１８０へ出力する。なお、入力装置１３は、マウス１３１、及びキーボード１３２等の物理的な操作デバイスに限定されない。入力装置１３には、例えば、外部の入力機器から入力される電気信号を受け付ける受信ポートが含まれてもよい。
【００３４】
出力装置１４は、端末装置１０を所有するユーザへ情報を提示するための装置である。出力装置１４は、例えば、ディスプレイ１４１、スピーカ１４２等により実現される。ディスプレイ１４１は、制御部１８０の制御に応じて、画像、動画、テキスト等のデータを表示する。ディスプレイ１４１は、例えば、ＬＣＤ（Liquid Crystal Display）、又は有機ＥＬ（Electro-Luminescence）ディスプレイ等によって実現される。スピーカ１４２は、制御部１８０の制御に応じて、音声を出力する。
【００３５】
カメラ１６０は、受光素子により光を受光し、撮影信号として出力するためのデバイスである。カメラ１６０は、例えば、光を受光するレンズがディスプレイ１４１と並べて設置されている。これにより、カメラ１６０は、ディスプレイ１４１を視認するユーザを撮影可能となっている。
【００３６】
記憶部１７０は、例えば、メモリ１５、及びストレージ１６等により実現され、端末装置１０が使用するデータ、及びプログラムを記憶する。具体的には、記憶部１７０は、例えば、トラッキング情報１７１を記憶する。
【００３７】
トラッキング情報１７１は、ユーザが端末装置１０を操作して訪れたウェブサイトについての情報が含まれる。つまり、トラッキング情報１７１は、例えば、ユーザが端末装置１０を操作して訪れたウェブサイトの履歴を表す。トラッキング情報１７１は、例えば、第２サーバ４０上にあるＨＴＭＬ（Hyper Text Markup Language）等のファイルから呼び出されているコンテンツから、端末装置１０のブラウザに対して送信される第３者クッキーにより実現される。第３者クッキーは、所謂、トラッキングクッキーと称してもよい。
【００３８】
本実施形態において、第３者クッキーは、第１サーバ２０においても参照可能な形式となっている。例えば、第２サーバ４０に開設されるウェブサイトが、第１サーバ２０により提供されるサービスに含まれる等、第２サーバ４０に開設されるウェブサイトと、第１サーバ２０により提供されるサービスとが共通のドメインを有している。
【００３９】
制御部１８０は、プロセッサ１９が記憶部１７０に記憶されるプログラムを読み込み、プログラムに含まれる命令を実行することにより実現される。制御部１８０は、端末装置１０の動作を制御する。具体的には、例えば、制御部１８０は、操作受付部１８１、通信制御部１８２、会計処理部１８３、及び表示制御部１８４としての機能を発揮する。
【００４０】
操作受付部１８１は、入力装置１３から入力されるユーザの操作を受け付けるための処理を行う。
【００４１】
通信制御部１８２は、他の装置との通信するため、通信部１２１を制御する処理を行う。例えば、通信制御部１８２は、第２サーバ４０へアクセスし、第２サーバ４０で開設されるウェブサイトへ訪れる。通信制御部１８２は、訪れたウェブサイト上のコンテンツを読み出す。
【００４２】
会計処理部１８３は、会計時の処理を行う。具体的には、例えば、会計処理部１８３は、会計時に必要な情報をディスプレイ１４１に表示させる。会計時に必要な情報は、例えば、ユーザのトラッキング情報を特定するための第１情報である。会計処理部１８３は、例えば、第１情報を、画像解析、又は光学式リーダーにより読み取り可能なコードとしてディスプレイ１４１に表示させる。画像解析、又は光学式リーダーにより読み取り可能なコードとは、例えば、バーコード、１次元画素コード、２次元画素コード（ＱＲコード（登録商標））等である。
【００４３】
表示制御部１８４は、ユーザに対して種々の情報を提示するため、出力装置１４を制御する。具体的には、例えば、表示制御部１８４は、通信制御部１８２により、所定のウェブサイト上のコンテンツが読み出されると、読み出されたコンテンツに関する情報をディスプレイ１４１に表示させる。
【００４４】
＜１．２  第１サーバの機能的な構成＞
図３は、第１サーバ２０の機能的な構成例を表すブロック図である。図３に示すように、第１サーバ２０は、通信部２０１と、記憶部２０２と、制御部２０３としての機能を発揮する。
【００４５】
通信部２０１は、第１サーバ２０が外部の装置と通信するための処理を行う。
【００４６】
記憶部２０２は、会計に関するデータが蓄積されたデータベース、例えば、ウェブサイト情報データベース（ＤＢ）２０２１と、商品情報データベース（ＤＢ）２０２２と、トラッキング情報データベース（ＤＢ）２０２３と、販売情報データベース（ＤＢ）２０２４等とを有する。
【００４７】
ウェブサイト情報ＤＢ２０２１は、ウェブサイトについての情報を保持するためのデータベースである。詳細は後述する。
【００４８】
商品情報ＤＢ２０２２は、ウェブサイトで紹介等される商品についての情報を保持するためのデータベースである。詳細は後述する。
【００４９】
トラッキング情報ＤＢ２０２３は、ユーザについてのトラッキング情報を保持するためのデータベースである。詳細は後述する。
【００５０】
販売情報ＤＢ２０２４は、販売された商品についての情報と、購入者についての情報とを保持するためのデータベースである。
【００５１】
制御部２０３は、プロセッサ２９が記憶部２０２に記憶されるプログラムを読み込み、プログラムに含まれる命令を実行することにより実現される。制御部２０３は、プログラムに従って動作することにより、送受信部２０３１、管理部２０３２、第１特定部２０３３、第２特定部２０３４、付与部２０３５、請求部２０３６として示す機能を発揮する。
【００５２】
送受信部２０３１は、第１サーバ２０が外部の装置から通信プロトコルに従って信号を受信する処理を制御する。送受信部２０３１は、第１サーバ２０が外部の装置に対し通信プロトコルに従って信号を送信する処理を制御する。
【００５３】
管理部２０３２は、記憶部２０２に記憶されているウェブサイト情報ＤＢ２０２１、商品情報ＤＢ２０２２、トラッキング情報ＤＢ２０２３、又は販売情報ＤＢ２０２４を管理する。
【００５４】
具体的には、例えば、管理部２０３２は、商品を紹介、又は解説するウェブサイトが新たに開設されると、ウェブサイト情報ＤＢ２０２１のレコードを更新する。管理部２０３２は、商品を紹介、又は解説するウェブサイトが新たに登録されると、ウェブサイト情報ＤＢ２０２１のレコードを更新するようにしてもよい。
【００５５】
また、例えば、管理部２０３２は、既設のウェブサイトにおいて、新たな商品が紹介されると、ウェブサイト情報ＤＢ２０２１における既設のウェブサイトについての情報に、新たな商品の紹介記事についてのレコードを追加する。管理部２０３２は、既設のウェブサイトにおいて、新たな商品の紹介記事が新たに登録されると、ウェブサイト情報ＤＢ２０２１における既設のウェブサイトについての情報に、新たな商品の紹介記事についてのレコードを追加してもよい。
【００５６】
また、管理部２０３２は、ウェブサイトへの報酬対象として新たな商品が加えられると、商品情報ＤＢ２０２２のレコードを更新する。管理部２０３２は、ウェブサイトへの報酬対象として新たな商品が登録されると、商品情報ＤＢ２０２２のレコードを更新してもよい。
【００５７】
また、管理部２０３２は、第２サーバ４０からトラッキング情報が送信されると、トラッキング情報ＤＢ２０２３を更新する。
【００５８】
また、管理部２０３２は、購入された商品についての購買情報をＰＯＳ端末３０から受信すると、販売情報ＤＢ２０２４を更新する。商品の購買情報には、例えば、決済を識別するための決済ＩＤ、商品が販売された日時、販売された商品の商品ＩＤ、商品名、及び値段、並びに、商品が販売された店舗等の情報が含まれる。    
【００５９】
第１特定部２０３３は、商品の購買情報と、購入者の閲覧履歴とに基づき、購入者が商品を購入する前に閲覧したウェブサイトを特定する。具体的には、例えば、第１特定部２０３３は、商品の購買情報と、購入者のトラッキング情報を特定するための第１情報とを、例えば、ＰＯＳ端末３０から取得する。第１特定部２０３３は、第１情報に基づき、トラッキング情報ＤＢ２０２３から購入者のトラッキング情報を取得する。第１特定部２０３３は、購買情報に含まれる商品ＩＤ、購入日時、及びウェブサイト情報ＤＢ２０２１に基づき、トラッキング情報に含まれるウェブサイトから、購入者が商品の購入の際に参照したウェブサイトを特定する。
【００６０】
第２特定部２０３４は、商品の購買情報と、購入者の閲覧履歴とに基づき、購入者により購入された商品の提供元を特定する。
【００６１】
付与部２０３５は、第１特定部２０３３により特定されたウェブサイトと関係する主体に対して報酬を付与する。ウェブサイトと関係する主体は例えば、以下である。
・ウェブサイトの開設者
・ウェブサイトの運営者
・ウェブサイトそのもの
【００６２】
付与部２０３５が付与する報酬は、例えば、以下である。
・お金
・ポイント
・トークン
【００６３】
付与部２０３５は、ウェブサイトそのものへ報酬を付与する場合、付与した報酬の量を、ウェブサイトを訪れるユーザに視認可能に表示してもよい。これにより、ウェブサイトを訪れるユーザは、当該ウェブサイトが商品を選択する上でどれだけ役に立つかを客観的に判断することが可能となる。
【００６４】
請求部２０３６は、第２特定部２０３４により特定された提供元に対し、付与部２０３５により付与した報酬についての費用を請求する。本実施形態における費用の請求は、例えば、費用を計上すること、又は計上した費用に基づいて請求書を作成すること等を含む。なお、商品の提供元へ費用が請求されなくてもよい。
【００６５】
＜１．３  ＰＯＳ端末の構成＞
図４は、ＰＯＳ端末３０の構成例を表すブロック図である。図４に示すように、ＰＯＳ端末３０は、通信部３２１と、入力装置３３と、出力装置３４と、記憶部３７０と、制御部３８０とを備える。ＰＯＳ端末３０に含まれる各ブロックは、例えば、バス等により電気的に接続される。
【００６６】
通信部３２１は、ＰＯＳ端末３０が他の装置と通信するための処理を行う。通信部３２１は、制御部３８０で生成された信号に送信処理を施し、外部（例えば、第１サーバ２０）へ送信する。通信部３２１は、外部から受信した信号に受信処理を施し、制御部３８０へ出力する。
【００６７】
入力装置３３は、ＰＯＳ端末３０を操作する店員が指示、又は情報を入力するための装置である。入力装置３３は、例えば、リーダー３３１、キーボード３３２、及び、操作面へ触れることで指示が入力されるタッチ・センシティブ・デバイス３３３等により実現される。また、入力装置３３は、マイク３３４により実現される。入力装置３３は、店員から入力される指示、又は情報を電気信号へ変換し、電気信号を制御部３８０へ出力する。なお、入力装置３３には、例えば、外部の入力機器から入力される電気信号を受け付ける受信ポートが含まれてもよい。
【００６８】
リーダー３３１は、コードを読み取るための装置である。リーダー３３１は、例えば、光学式リーダーにより実現される。リーダー３３１は、例えば、商品に付されたバーコードを光学的に読み取る。商品に付されたバーコードには、例えば、商品の識別情報が書き込まれている。また、リーダー３３１は、例えば、端末装置１０のディスプレイ１４１に表示されるコードを読み取る。ディスプレイ１４１に表示されるコードには、例えば、端末装置１０を所有するユーザのトラッキング情報を特定するための第１情報が書き込まれている。
【００６９】
出力装置３４は、ＰＯＳ端末３０を操作する店員へ情報を提示するための装置である。出力装置３４は、例えば、ディスプレイ３４１、スピーカ３４２等により実現される。ディスプレイ３４１は、制御部３８０の制御に応じて、決済処理に関するデータを表示する。ディスプレイ３４１は、例えば、ＬＣＤ、又は有機ＥＬディスプレイ等によって実現される。スピーカ３４２は、制御部３８０の制御に応じて、音声を出力する。
【００７０】
記憶部３７０は、例えば、メモリ３５、及びストレージ３６等により実現され、ＰＯＳ端末３０が使用するデータ、及びプログラムを記憶する。記憶部３７０は、例えば、商品情報３７１を記憶する。
【００７１】
商品情報３７１は、店舗で販売される商品についての情報である。商品についての情報には、例えば、商品を識別する情報、商品の名称、商品の値段、商品の発売日、次回の入荷予定日、在庫数等が含まれる。
【００７２】
制御部３８０は、プロセッサ３９が記憶部３７０に記憶されるプログラムを読み込み、プログラムに含まれる命令を実行することにより実現される。制御部３８０は、ＰＯＳ端末３０の動作を制御する。制御部３８０は、プログラムに従って動作することにより、操作受付部３８１と、通信制御部３８２と、会計処理部３８３と、関連付け部３８４と、表示制御部３８５ととしての機能を発揮する。
【００７３】
操作受付部３８１は、入力装置３３から入力される指示、又は情報を受け付けるための処理を行う。具体的には、例えば、操作受付部３８１は、キーボード３３２又はタッチ・センシティブ・デバイス３３３等から入力される指示に基づく情報を受け付ける。キーボード３３２又はタッチ・センシティブ・デバイス３３３等を介して入力される指示は、例えば、商品に関する情報、決済処理に関する情報、又は客に関する情報等である。また、操作受付部３８１は、リーダー３３１により商品から読み出される情報、又はリーダー３３１により端末装置１０から読み出される情報を受け付ける。
【００７４】
通信制御部３８２は、他の装置との通信するため、通信部３２１を制御する処理を行う。例えば、通信制御部３８２は、第１サーバ２０へ情報を送信する。
【００７５】
会計処理部３８３は、店員から入力される指示に応じ、会計に関する処理を行う。例えば、会計処理部３８３は、操作受付部３８１から受け付けた商品についての情報を、商品情報３７１から取得する。操作受付部３８１から受け付けた商品についての情報は、例えば、キーボード３３２又はタッチ・センシティブ・デバイス３３３等から入力された情報、又はリーダー３３１により読み取られた情報である。
【００７６】
会計処理部３８３は、購入者のトラッキング情報を特定するための第１情報を取得する。端末装置１０は、第１情報を、例えば、コード化し、ディスプレイ１４１に表示させる。会計処理部３８３は、第１情報を、リーダー３３１により、端末装置１０に表示されたコードを読み取ることにより取得する。
【００７７】
会計処理部３８３は、取得した商品の代金の支払方式の指定をユーザから受け付ける。支払方式は、例えば、以下である。
・現金による支払い
・クレジットカードによる支払い
・暗号資産による支払い
・スマートフォンを用いたキャッシュレスでの支払い
【００７８】
会計処理部３８３は、指定された方式で商品の代金の支払いを受け付ける。
【００７９】
関連付け部３８４は、第１情報と、購入された商品についての情報とを関連付ける。関連付け部３８４は、関連付けた情報を、第１サーバ２０へ送信する。
【００８０】
表示制御部３８５は、店員、又は購入者に対して会計に関する情報を提示するため、出力装置３４を制御する。具体的には、例えば、表示制御部３８５は、会計処理部３８３により商品情報３７１から読み出された商品についての情報をディスプレイ１４１に表示させる。また、表示制御部３８５は、会計処理部３８３により実施される決済処理に関する情報をディスプレイ１４１に表示させる。
【００８１】
＜２  データ構造＞
図５〜図８は、第１サーバ２０が記憶するデータベースのデータ構造を示す図である。なお、図５〜図８は一例であり、記載されていないデータを除外するものではない。
【００８２】
図５は、ウェブサイト情報ＤＢ２０２１のデータ構造を示す図である。図５で情報が保持されるウェブサイトは、例えば、第２サーバ４０、又はその他のサーバ（図示せず）上のコンテンツである。図５で情報が保持されるウェブサイトには、商品を紹介、又は解説するウェブサイト、又は広告媒体サイトが含まれる。図５に示すように、ウェブサイト情報ＤＢ２０２１のレコードの各々は、項目「ウェブサイトＩＤ」と、項目「ウェブサイト名」、項目「更新年月日」と、項目「ＵＲＬ」と、項目「商品ＩＤ」と、項目「商品名」と、項目「報酬方式」等とを含む。
【００８３】
項目「ウェブサイトＩＤ」は、商品を紹介、又は商品を解説するウェブサイトを識別する情報を記憶する。また、項目「ウェブサイトＩＤ」は、広告媒体サイトを識別する情報を記憶する。ウェブサイトＩＤは、例えば、登録されたウェブサイトに対して設定される。
【００８４】
項目「ウェブサイト名」は、ウェブサイトの名称を記憶する。
【００８５】
項目「更新年月日」は、ウェブサイトが更新された年月日を記憶する。
【００８６】
項目「商品ＩＤ」は、ウェブサイト内で紹介、又は解説される商品を識別する情報を記憶する。また、項目「商品ＩＤ」は、広告媒体サイトで広告バナーの対象となる商品を識別する情報を記憶する。項目「商品ＩＤ」は、商品を特定する際にキーとなる情報を記憶する。項目「商品ＩＤ」は、例えば、同一種類の商品毎に付けられる品番により表される。
【００８７】
項目「商品名」は、ウェブサイト内で紹介、又は解説される商品の名称を記憶する。また、項目「商品ＩＤ」は、広告媒体サイトで広告バナーの対象となる商品の名称を記憶する。
【００８８】
項目「更新年月日」、項目「ＵＲＬ」、項目「商品ＩＤ」、項目「商品名」は、一つのウェブサイトのレコードに複数記憶されていてもよい。例えば、所定のウェブサイトに属する別々のウェブページで異なる商品が紹介されている場合、ウェブページが更新された年月日が項目「更新年月日」に記憶され、ウェブページのＵＲＬが項目「ＵＲＬ」に記憶され、ウェブページで紹介される商品の品番が項目「商品ＩＤ」に記憶され、ウェブページで紹介される商品の名称が項目「商品名」に記憶される。
【００８９】
項目「報酬方式」は、ウェブサイトと関係する主体へ付与する報酬についての取り決めを記憶する。報酬についての取り決めには、例えば、報酬の方式が含まれる。項目「報酬方式」では、例えば、現金振込、ポイント付与、又はトークン付与等、種々の方式が設定され得る。
【００９０】
図６は、商品情報ＤＢ２０２２のデータ構造を示す図である。図６に示すように、商品情報ＤＢ２０２２のレコードの各々は、項目「商品ＩＤ」と、項目「商品名」と、項目「ＵＲＬ」と、項目「値段」と、項目「報酬」と、項目「提供元」等とを含む。
【００９１】
項目「商品ＩＤ」は、商品を識別する情報を記憶する。
【００９２】
項目「商品名」は、商品の名称を記憶する。
【００９３】
項目「ＵＲＬ」は、商品の提供元が提供するウェブページのＵＲＬを記憶する。また、項目「ＵＲＬ」は、商品のＥＣサイトのＵＲＬを記憶してもよい。
【００９４】
項目「値段」は、商品の値段を記憶する。項目「値段」は、例えば、報酬が値段に対する割合である場合等に利用される。
【００９５】
項目「報酬」は、ウェブサイトと関係する主体へ支払う報酬を記憶する。
【００９６】
項目「提供元」は、商品の提供元を記憶する。商品の提供元は、例えば、以下である。
・商品の製造者
・商品の販売を代理する者
・商品の輸入者
【００９７】
図７は、トラッキング情報ＤＢ２０２３のデータ構造を示す図である。図７に示すように、トラッキング情報ＤＢ２０２３のレコードの各々は、項目「ユーザＩＤ」と、項目「更新日」と、項目「内容」等とを含む。
【００９８】
項目「ユーザＩＤ」は、ユーザを識別する情報を記憶する。    
【００９９】
項目「更新日時」は、トラッキング情報が更新された日時を記憶する。
【０１００】
項目「内容」は、トラッキング情報の内容を記憶する。具体的には、例えば、項目「内容」は、ユーザが閲覧したウェブサイトを表す情報を記憶する。ユーザが閲覧したウェブサイトを表す情報には、例えば、ユーザがウェブサイトを閲覧した時間がタイムスタンプとして含まれてもよい。
【０１０１】
図８は、販売情報ＤＢ２０２４のデータ構造を示す図である。図８に示すように、販売情報ＤＢ２０２４のレコードの各々は、項目「決済ＩＤ」と、項目「販売日時」と、項目「商品ＩＤ」と、項目「商品名」と、項目「値段」と、項目「販売店舗」等とを含む。
【０１０２】
項目「決済ＩＤ」は、決済を識別する情報を記憶する。
【０１０３】
項目「販売日時」は、ユーザへ商品が販売された日時を記憶する。具体的には、例えば、項目「販売日時」は、商品の決済が完了した日時を記憶する。
【０１０４】
項目「商品ＩＤ」は、ユーザへ販売された商品を識別する情報を記憶する。
【０１０５】
項目「商品名」は、ユーザへ販売された商品の名称を記憶する。
【０１０６】
項目「値段」は、商品が販売された値段を記憶する。
【０１０７】
項目「販売店舗」は、商品を販売した店舗を識別する情報を記憶する。
【０１０８】
＜３．動作＞
第１サーバ２０がウェブサイトと関係する主体に報酬を付与する際の端末装置１０、第１サーバ２０、ＰＯＳ端末３０、及び第２サーバ４０の動作について説明する。
【０１０９】
図９は、本実施形態の第１サーバ２０がウェブサイトと関係する主体に報酬を付与する際の概念図である。図１０は、本実施形態の第１サーバ２０がウェブサイトと関係する主体に報酬を付与する際の端末装置１０、第１サーバ２０、ＰＯＳ端末３０、及び第２サーバ４０の動作を説明する図である。なお、図９、図１０の説明では、ユーザが商品を紹介、又は解説するウェブサイトを参照し、商品を選択する場合を例に説明する。
【０１１０】
まず、端末装置１０を操作するユーザは、所望の商品を探すため、商品を紹介するウェブサイトを閲覧する。端末装置１０は、インターネットを介して第２サーバ４０にアクセスし、第２サーバ４０で開設されるウェブサイトのコンテンツを読み出す（ステップＳ１１）。端末装置１０は、読み出したコンテンツをディスプレイ１４１に表示させる。
【０１１１】
第２サーバ４０は、端末装置１０によりウェブサイトのコンテンツが閲覧されると、第３者クッキーをトラッキング情報として生成する。第２サーバ４０は、第３者クッキーに、端末装置１０（端末装置１０のユーザ）を識別可能な情報を付し、情報を付した第３者クッキーを、端末装置１０のブラウザへ送信する（ステップＳ１２）。第２サーバ４０は、情報を付した第３者クッキーを、第１サーバ２０へも送信する（ステップＳ１３）。
【０１１２】
第１サーバ２０は、管理部２０３２により、第２サーバ４０から送信されるトラッキング情報に基づき、トラッキング情報ＤＢ２０２３を更新する。
【０１１３】
ユーザは、ウェブサイトでの解説に共感し、商品を購入することを決めると、商品を購入するため、所定の店舗へ行く。ユーザは、店舗において、事前にウェブサイトを見て購入を決めていた商品を選択する。ユーザは、選択した商品を持って、例えば、店舗内の会計エリアへ移動する。ユーザは、会計エリアにおいて、ＰＯＳ端末３０が設置されているレジカウンターに、持ってきた商品を置く。
【０１１４】
ＰＯＳ端末３０は、店舗の店員の操作に従い、会計に関する処理を実施する（ステップＳ１４）。
【０１１５】
図１１は、図１０においてＰＯＳ端末３０が会計に関する処理を実施する際の制御部３８０の動作の例を表すフローチャートである。
【０１１６】
ＰＯＳ端末３０の制御部３８０は、レジカウンターに置かれている商品の情報を取得する（ステップＳ１４１）。具体的には、例えば、リーダー３３１は、レジカウンターに置かれている商品に付されているバーコードから商品の識別情報を読み取る。制御部３８０は、操作受付部３８１により、リーダー３３１により読み取った識別情報を取得する。制御部３８０は、会計処理部３８３により、識別情報を参照し、商品情報３７１から、商品の情報を取得する。会計処理部３８３は、取得した情報に基づき、商品の値段等を、ディスプレイ３４１に表示させる。
【０１１７】
店員は、商品情報を取得すると、ユーザに対し、トラッキング情報を特定するための第１情報の提示を要求する。
【０１１８】
ユーザは、端末装置１０を操作し、第１情報をディスプレイ１４１に表示させる。具体的には、例えば、端末装置１０は、第３者クッキーに付されて受信された、端末装置１０を識別可能な情報を、第１情報としてディスプレイ１４１に表示させる。端末装置１０は、第１情報を、例えば、コード化してディスプレイ１４１に表示させる。
【０１１９】
制御部３８０は、端末装置１０についての第１情報を取得する（ステップＳ１４２）。具体的には、例えば、リーダー３３１は、端末装置１０のディスプレイ１４１に表示されているコードから第１情報を読み取る。制御部３８０は、操作受付部３８１により、リーダー３３１により読み取った第１情報を取得する。
【０１２０】
制御部３８０は、商品の決済処理を実施する（ステップＳ１４３）。具体的には、例えば、店員は、ディスプレイ３４１に表示される代金の支払方式をユーザに尋ねる。ユーザは、例えば、
・現金による支払い
・クレジットカードによる支払い
・暗号資産による支払い
・スマートフォンを用いたキャッシュレスでの支払い
のうち、いずれかを選択し、店員に伝える。制御部３８０は、会計処理部３８３により、代金の支払方式の指定を受け付け、受け付けた支払い方式を設定する。会計処理部３８３は、設定した支払い方式での代金の支払いを受け付ける。
【０１２１】
制御部３８０は、会計処理部３８３により、例えば、決済を識別するための決済ＩＤ、商品が販売された日時、販売された商品の商品ＩＤ、商品名、及び値段、並びに、商品が販売された店舗等の情報を購買情報とする。制御部３８０は、関連付け部３８４により、購買情報と、商品を購入した購入者の第１情報とを関連付ける（ステップＳ１４４）。
【０１２２】
図１０において、ＰＯＳ端末３０は、関連付けた購買情報と、第１情報とを第１サーバ２０へ送信する（ステップＳ１５）。
【０１２３】
第１サーバ２０は、購買情報及び第１情報に基づき、ユーザが商品を購入する際に参照したウェブサイトと関係する主体に報酬を付与する（ステップＳ１６）。
【０１２４】
図１２は、図１０において第１サーバ２０がウェブサイトと関係する主体に報酬を付与する際の制御部２０３の動作の例を表すフローチャートである。
【０１２５】
第１サーバ２０の制御部２０３は、ＰＯＳ端末３０から送信される購買情報及び第１情報を取得する（ステップＳ１６１）。制御部２０３は、購買情報を取得すると、管理部２０３２により、販売情報ＤＢ２０２４にレコードを追加する。
【０１２６】
制御部２０３は、第１情報に基づき、購入者のトラッキング情報を取得する（ステップＳ１６２）。具体的には、例えば、制御部２０３は、第１特定部２０３３により、第１情報をキーとしてトラッキング情報ＤＢ２０２３を検索することで、トラッキング情報ＤＢ２０２３から購入者のトラッキング情報を取得する。
【０１２７】
制御部２０３は、購買情報と、第１情報とに基づき、購入者が商品を購入する前に閲覧したウェブサイトを特定する（ステップＳ１６３）。具体的には、制御部２０３は、第１特定部２０３３により、購買情報に含まれる購入日時から、ユーザが商品を購入した日時を取得する。第１特定部２０３３は、トラッキング情報に含まれるウェブサイトのうち、購入日時から遡って所定期間内に閲覧したウェブサイトを抽出する。第１特定部２０３３は、ウェブサイト情報ＤＢ２０２１を参照し、抽出したウェブサイトのうち、購買情報に含まれる商品ＩＤと関連付けられているウェブサイトを特定する。
【０１２８】
購入日時から遡って所定期間内に閲覧したウェブサイトに、購買情報に含まれる商品ＩＤを紹介しているウェブサイトが複数ある場合、第１特定部２０３３は、例えば、以下により、いずれかのウェブサイトを特定する。なお、組み合わせてもよい。
・アクセスした日時が新しいウェブサイト
・更新年月日が新しいウェブサイト
・他のユーザからの評価の高いウェブサイト
・付与されている報酬が高いウェブサイト
・文量が多い（容量が大きい）ウェブサイト
・自身が評価しているウェブサイト
【０１２９】
なお、購入日時から遡って所定期間内に閲覧したウェブサイトに、購買情報に含まれる商品ＩＤを紹介しているウェブサイトが複数ある場合、第１特定部２０３３は、必ずしも１つのウェブサイトを特定する必要はない。例えば、第１特定部２０３３は、複数のウェブサイトを特定してもよい。また、第１特定部２０３３は、複数のウェブサイトを、順位を付けて特定してもよい。第１特定部２０３３は、例えば、上記の要素を参照し、抽出したウェブサイトに順位を付ける。
【０１３０】
制御部２０３は、特定したウェブサイトと関係する主体に報酬を付与する（ステップＳ１６３）。具体的には、例えば、制御部２０３は、付与部２０３５により、商品情報ＤＢ２０２２に基づき、購入された商品について設定された報酬を決定する。付与部２０３５は、特定したウェブサイトと関係する主体に、ウェブサイト情報ＤＢ２０２１で記憶されている報酬方式に応じた方式で、決定した報酬を付与する。
【０１３１】
複数のウェブサイトが特定されている場合、付与部２０３５は、それぞれのウェブサイトと関係する主体に報酬を付与する。また、ウェブサイトに順位が付けられている場合、付与部２０３５は、順位に従った量の報酬を付与する。
【０１３２】
制御部２０３は、商品の提供元へ費用を請求する（ステップＳ１６４）。具体的には、例えば、制御部２０３は、第２特定部２０３４により、商品情報ＤＢ２０２２に基づき、購入された商品の提供元を特定する。制御部２０３は、請求部２０３６により、付与した報酬に応じた費用を、特定した提供元に請求する。
【０１３３】
図１２では、報酬を付与するフローにおいて商品の提供元に報酬に応じた費用を請求する例を説明している。しかしながら、商品の提供元に報酬に応じた費用を請求するタイミングは、報酬を付与するフロー内に限定されない。制御部２０３は、第２特定部２０３４により、以下のタイミングで費用を請求してもよい。
・所定の周期
・予め設定された回数の報酬付与
・予め設定された額への報酬額の到達
【０１３４】
以上のように、上記実施形態では、第１サーバ２０は、管理部２０３２により、商品と関連付けてウェブサイトを管理する。ＰＯＳ端末３０は、操作受付部３８１により、実店舗に設置され、ユーザがアクセスしたウェブサイトの履歴を特定するための第１情報を、端末装置１０から取得する。ＰＯＳ端末３０は、会計処理部３８３により、ユーザが選択した商品の決済を行う。決済が終了すると、ＰＯＳ端末３０は、関連付け部３８４により、第１情報と、商品の購買情報とを関連付ける。ＰＯＳ端末３０は、通信制御部３８２により、関連付けた第１情報と購買情報とを送信する。第１サーバ２０は、第１特定部２０３３により、関連付けられた第１情報と、購買情報とに基づき、管理しているウェブサイトから、ユーザが商品の購入の際に参照したウェブサイトを特定する。そして、第１サーバ２０は、付与部２０３５により、特定したウェブサイトと関係する主体へ報酬を付与するようにしている。これにより、ユーザが商品を購入すると、ウェブサイトと関係する主体へ自動的に報酬が付与されることになる。
【０１３５】
したがって、本実施形態に係るシステム１によれば、利用者への負担を避けながら、商品を購入するきっかけとなったサイトに報酬を付与できる。
【０１３６】
また、上記実施形態では、第１サーバ２０は、記憶部２０２に、ユーザがアクセスしたウェブサイトの履歴を表すトラッキング情報を記憶する。第１サーバ２０は、第１特定部２０３３により、購買情報と関連付けられている第１情報に基づき、記憶しているトラッキング情報から、商品を購入したユーザのトラッキング情報を取得する。そして、第１特定部２０３３は、取得したトラッキング情報と、購買情報とに基づき、管理しているウェブサイトから、ユーザが商品の購入の際に参照したウェブサイトを特定する。これにより、トラッキング情報というプライベートな情報をＰＯＳ端末３０へ提供しなくても、ユーザのトラッキング情報を第１サーバ２０と共有することが可能となる。このため、プライベート情報が漏れることを防ぐことが可能となる。
【０１３７】
また、本実施形態では、第１サーバ２０は、第１特定部２０３３により、ユーザが商品の購買前に参照したウェブサイトが複数ある場合、ユーザがアクセスした日時、ウェブサイトの更新日時、他ユーザからの評価、付与された報酬、ウェブサイトの容量、及び、ユーザの評価の少なくともいずれかに基づいてウェブサイトを特定するようにしている。これにより、ウェブサイトに対して適切に報酬を付与することが可能となる。
【０１３８】
また、本実施形態では、第１サーバ２０は、付与部２０３５により、ウェブサイトのユーザに視認可能に報酬を付与するようにしている。これにより、ユーザはウェブサイトの実績を報酬の量で判断することが可能となり、参照となるウェブサイトを探しやすくなる。
【０１３９】
また、本実施形態では、第１サーバ２０は、請求部２０３６により、ユーザにより購入された商品の提供元へ費用を請求するようにしている。これにより、商品の提供元へ請求するべき費用が自動的に算出されるため、管理者の労力が軽減されることになる。
【０１４０】
（その他の実施形態）
（近距離無線通信による情報の読み取り）
上記実施形態では、ＰＯＳ端末３０が、光学式リーダーにより実現されるリーダー３３１を用い、端末装置１０にコードとして表示される第１情報を読み出す場合を例に説明した。しかしながら、ＰＯＳ端末３０は、端末装置１０にコードとして表示される第１情報を読み出すことに限定されない。リーダー３３１は、近距離無線通信により、端末装置１０から情報を読み取ってもよい。例えば、リーダー３３１は、近距離無線通信により、端末装置１０から、第１情報、又は、トラッキング情報を読み取る。
【０１４１】
ＰＯＳ端末３０は、リーダー３３１により、端末装置１０からトラッキング情報を読み取った場合、関連付け部３８４により、購買情報と、トラッキング情報とを関連付ける。ＰＯＳ端末３０は、関連付けた購買情報と、トラッキング情報とを第１サーバ２０へ送信する。
【０１４２】
第１サーバ２０は、購買情報と、トラッキング情報とに基づき、購入者が商品を購入する前に閲覧したウェブサイトを特定する。
【０１４３】
このように、本実施形態では、ＰＯＳ端末３０は、第１サーバ２０へ、購買情報と、トラッキング情報とを送信するようにしている。これにより、第１サーバ２０では、商品を購入したユーザのトラッキング情報を検索しなくてもよくなる。このため、第１サーバ２０での処理負担が軽減されることとなる。
【０１４４】
（通信装置３１による第１サーバ２０への情報送信）
上記実施形態では、ＰＯＳ端末３０が、第１サーバ２０へ、購買情報と第１情報とを送信する場合を例に説明した。第１サーバ２０へ購買情報と第１情報とを送信するのはＰＯＳ端末３０に限定されない。ＰＯＳ端末３０ａは、通信装置３１により、購買情報及び第１情報を第１サーバ２０へ送信してもよい。
【０１４５】
図１３は、通信装置３１が購買情報及び第１情報を第１サーバ２０へ送信する際のシステム１の概念図である。
【０１４６】
図１３において、通信装置３１は、例えば、光学式リーダーの機能を有する。通信装置３１は、端末装置１０から第１情報を取得する。
【０１４７】
ＰＯＳ端末３０ａは、商品の代金の決済処理が完了すると、購買情報を通信装置３１へ送信する。
【０１４８】
通信装置３１は、購買情報と第１情報とを関連付ける。通信装置３１は、関連付けた購買情報と第１情報とを第１サーバ２０へ送信する。
【０１４９】
通信装置３１は、近距離無線通信のリーダーの機能を有していてもよい。通信装置３１は、近距離無線通信により、端末装置１０から、第１情報、又は、トラッキング情報を読み取る。通信装置３１は、購買情報とトラッキング情報とを関連付ける。通信装置３１は、関連付けた購買情報とトラッキング情報とを第１サーバ２０へ送信する。
【０１５０】
このように、通信装置３１により、情報を第１サーバ２０へ送信することで、ＰＯＳ端末３０ａに通信機能がない場合であっても、第１サーバ２０は、ユーザが商品購入の際に参照したウェブサイトと関係する主体へ、報酬を付与することが可能となる。
【０１５１】
（端末装置１０ｂによる第１情報の第１サーバ２０ｂへの送信）
上記実施形態では、ＰＯＳ端末３０が、第１サーバ２０へ、購買情報と第１情報とを送信する場合を例に説明した。第１情報を第１サーバ２０へ送信するのはＰＯＳ端末３０に限定されない。端末装置１０ｂは、第１情報を第１サーバ２０ｂへ送信してもよい。
【０１５２】
図１４は、端末装置１０ｂが第１情報を第１サーバ２０ｂへ送信する際のシステム１の概念図である。図１５は、第１サーバ２０ｂがウェブサイトと関係する主体に報酬を付与する際の端末装置１０ｂ、第１サーバ２０ｂ、ＰＯＳ端末３０ｂ、及び第２サーバ４０の動作を説明する図である。
【０１５３】
図１４において、ＰＯＳ端末３０ｂは、会計処理（ステップＳ１４）が完了すると、購買情報を生成する。ＰＯＳ端末３０ｂは、購買情報を特定するための第２情報を端末装置１０ｂへ与える（ステップＳ１７）。具体的には、例えば、ＰＯＳ端末３０ｂは、決済を識別するための決済ＩＤを、第２情報として端末装置１０ｂに与える。ＰＯＳ端末３０ｂは、表示制御部３８５により、第２情報を、例えば、コード化してディスプレイ３４１に表示させ、端末装置１０ｂに読み取らせる。ＰＯＳ端末３０ｂは、第２情報を近距離無線通信により端末装置１０ｂへ送信してもよい。
【０１５４】
また、ＰＯＳ端末３０ｂは、購買情報を第１サーバ２０ｂへ送信する（ステップＳ１８）。
【０１５５】
端末装置１０ｂは、第２情報を取得すると、第１サーバ２０ｂへ情報を送信することの承諾をユーザに求める（ステップＳ１９）。具体的には、例えば、端末装置１０ｂは、第１サーバ２０ｂへ情報を送信することの承諾を受け付ける操作オブジェクトを、ディスプレイ１４１に表示させる。ユーザが操作オブジェクトを押下することで、第１サーバ２０ｂへの情報の送信を承諾すると、端末装置１０ｂは、第１情報と第２情報とを関連付ける。端末装置１０ｂは、関連付けた第１情報と第２情報とを第１サーバ２０ｂへ送信する（ステップＳ１１０）。
【０１５６】
第１サーバ２０ｂは、第１情報、第２情報、及び購買情報に基づき、ユーザが商品を購入する際に参照したウェブサイトと関係する主体に報酬を付与する（ステップＳ１１１）。
【０１５７】
具体的には、第１サーバ２０ｂは、第１情報と第２情報とを端末装置１０ｂから受信する。第１サーバ２０ｂは、購買情報をＰＯＳ端末３０ｂから受信する。第１サーバ２０ｂは、第２情報に基づき、第２情報と関連付けられている第１情報と対応する購買情報を特定する。第１サーバ２０ｂは、第１情報と、特定した購買情報とに基づき、ユーザが商品を購入する際に参照したウェブサイトと関係する主体に報酬を付与する。第１サーバ２０ｂは、主体に報酬を付与すると、商品の提供元へ費用を請求してもよい。
【０１５８】
端末装置１０ｂは、第１情報ではなく、トラッキング情報を、第１サーバ２０ｂへ送信してもよい。具体的には、例えば、端末装置１０ｂは、ユーザが第１サーバ２０ｂへの情報の送信を承諾すると、トラッキング情報と第２情報とを関連付ける。端末装置１０ｂは、関連付けたトラッキング情報と第２情報とを第１サーバ２０ｂへ送信する。
【０１５９】
第１サーバ２０ｂは、第２情報に基づき、第２情報と関連付けられているトラッキング情報と対応する購買情報を特定する。第１サーバ２０ｂは、トラッキング情報と、特定した購買情報とに基づき、ユーザが商品を購入する際に参照したウェブサイトと関係する主体に報酬を付与する。
【０１６０】
このように、本実施形態では、第１サーバ２０ｂは、管理部２０３２により、商品と関連付けてウェブサイトを管理する。ＰＯＳ端末３０ｂは、会計処理部３８３により、ユーザが選択した商品の決済を行う。決済が終了すると、ＰＯＳ端末３０ｂは、通信制御部３８２又は表示制御部３８５により、商品の購買情報を特定するための第２情報を、端末装置１０ｂへ提供する。決済が終了すると、ＰＯＳ端末３０ｂは、商品の購買情報を第１サーバ２０ｂへ送信する。第１サーバ２０ｂは、第２情報と、第２情報と関連付けられた、第１情報とを、端末装置１０ｂから受信する。第１サーバ２０ｂは、第１特定部２０３３により、関連付けられた第１情報と、第２情報によって特定される購買情報とに基づき、管理しているウェブサイトから、ユーザが商品の購入の際に参照したウェブサイトを特定する。そして、第１サーバ２０ｂは、付与部２０３５により、特定したウェブサイトと関係する主体へ報酬を付与するようにしている。これにより、履歴に関する情報を端末装置１０ｂから読み出す機能がＰＯＳ端末３０ｂにない場合であっても、第１サーバ２０ｂは、ユーザが商品購入の際に参照したウェブサイトと関係する主体へ、報酬を付与することが可能となる。
【０１６１】
また、ＰＯＳ端末３０ｂから端末装置１０ｂへ提供されるのは、購買情報そのものではなく、購買情報を特定可能な情報となっているため、情報の流出を抑えることが可能となる。
【０１６２】
（所定のブラウザ又はウェブサービスの登録情報）
上記実施形態では、トラッキング情報が、第３者クッキーにより実現される場合を例に説明した。しかしながら、トラッキング情報は、第３者クッキーによるものに限定されない。端末装置１０ｃは、例えば、所定のブラウザ又はウェブサービスの登録情報の一部として、ウェブサイトの閲覧履歴を記憶することがある。端末装置１０ｃは、トラッキング情報として、閲覧履歴を含む登録情報を用いてもよい。
【０１６３】
図１６は、ＰＯＳ端末３０ｃが購買情報と登録情報とを第１サーバ２０ｃへ送信する際のシステム１の概念図である。図１７は、第１サーバ２０ｃがウェブサイトと関係する主体に報酬を付与する際の端末装置１０ｃ、第１サーバ２０ｃ、ＰＯＳ端末３０ｃ、及び第２サーバ４０の動作を説明する図である。
【０１６４】
図１７において、端末装置１０ｃは、インターネットを介して第２サーバ４０に開設されるウェブサイトにアクセスすると（ステップＳ１１）、このウェブサイトを閲覧したことを自身の登録情報と紐づけて記憶する（ステップＳ１１２）。端末装置１０ｃは、登録情報を第１サーバ２０ｃへ送信する（ステップＳ１１３）。
【０１６５】
第１サーバ２０ｃは、端末装置１０ｃから送信される登録情報を記憶部２０２に記憶する。端末装置１０ｃの登録情報を記憶する場合、第１サーバ２０ｃは、トラッキング情報ＤＢ２０２３を記憶していなくてもよい。
【０１６６】
ユーザは、ウェブサイトでの解説に共感し、商品を購入することを決めると、商品を購入するため、所定の店舗へ行く。ユーザは、店舗において、事前にウェブサイトを見て購入を決めていた商品を選択する。ユーザは、選択した商品を持って、例えば、店舗内の会計エリアへ移動する。ユーザは、会計エリアにおいて、ＰＯＳ端末３０ｃが設置されているレジカウンターに、持ってきた商品を置く。
【０１６７】
ＰＯＳ端末３０ｃは、店舗の店員の操作に従い、会計に関する処理を実施する（ステップＳ１４）。
【０１６８】
具体的には、ＰＯＳ端末３０ｃは、レジカウンターに置かれている商品の情報を取得する。店員は、商品情報を取得すると、ユーザに対し、登録情報の提供を要求する。ユーザは、例えば、端末装置１０ｃを操作し、登録情報をＰＯＳ端末３０ｃへ送信可能な状態とする。
【０１６９】
ＰＯＳ端末３０ｃのリーダー３３１は、近距離無線通信により情報を読み出す機能を有している。ＰＯＳ端末３０ｃは、リーダー３３１により、端末装置１０ｃから、登録情報を読み取る。ＰＯＳ端末３０ｃは、商品の決済処理を実施する。ＰＯＳ端末３０ｃは、例えば、決済を識別するための決済ＩＤ、商品が販売された日時、販売された商品の商品ＩＤ、商品名、及び値段、並びに、商品が販売された店舗等の情報を購買情報とする。ＰＯＳ端末３０ｃは、購買情報と、商品を購入した購入者の登録情報とを関連付ける。
【０１７０】
ＰＯＳ端末３０ｃは、関連付けた購買情報と、登録情報とを第１サーバ２０ｃへ送信する（ステップＳ１１４）。
【０１７１】
第１サーバ２０ｃは、購買情報及び登録情報に基づき、ユーザが商品を購入する際に参照したウェブサイトと関係する主体に報酬を付与する（ステップＳ１１５）。
【０１７２】
具体的には、第１サーバ２０ｃは、ＰＯＳ端末３０ｃから送信される購買情報及び登録情報を取得する。第１サーバ２０ｃは、購買情報を取得すると、販売情報ＤＢ２０２４にレコードを追加する。
【０１７３】
第１サーバ２０ｃは、購買情報と、登録情報とに基づき、購入者が商品を購入する前に閲覧したウェブサイトを特定する。具体的には、例えば、第１サーバ２０ｃは、登録情報に含まれる閲覧履歴に含まれるウェブサイトのうち、購買情報に含まれる購入日時から遡って所定期間内に閲覧したウェブサイトを抽出する。第１サーバ２０ｃは、抽出したウェブサイトのうち、購買情報に含まれる商品ＩＤを紹介しているウェブサイトを特定する。
【０１７４】
第１サーバ２０ｃは、特定したウェブサイトと関係する主体に報酬を付与する。第１サーバ２０ｃは、主体に報酬を付与すると、商品の提供元へ費用を請求してもよい。
【０１７５】
このように、本実施形態では、ＰＯＳ端末３０ｃは、第１サーバ２０ｃへ、購買情報と、登録情報とを送信するようにしている。これにより、第１サーバ２０ｃは、登録情報を利用して、閲覧履歴を取得することが可能となる。このため、第１サーバ２０ｃでの処理負担が軽減されることとなる。
【０１７６】
なお、ＰＯＳ端末３０ｃは、登録情報ではなく、登録情報を特定可能な情報、例えば、ユーザＩＤを取得してもよい。端末装置１０ｃは、例えば、登録情報を特定可能な情報をコード化してディスプレイ１４１に表示させる。ＰＯＳ端末３０ｃは、例えば、光学式リーダーにより実現されるリーダー３３１によりコードから情報を読み取る。ＰＯＳ端末３０ｃは、読み取った情報と購買情報とを関連付けて第１サーバ２０ｃへ送信する。
【０１７７】
第１サーバ２０ｃは、購買情報と関連付けられる情報に基づき、購買者の登録情報を取得する。第１サーバ２０ｃは、取得した登録情報と、購買情報とに基づき、ユーザが商品を購入する際に参照したウェブサイトと関係する主体に報酬を付与する。
【０１７８】
また、端末装置１０ｃが、トラッキング情報として、閲覧履歴を含む登録情報を用いる場合であっても、例えば、図１３で示すように、通信装置３１は、購買情報と登録情報とを第１サーバ２０ｃへ送信してもよい。
【０１７９】
また、端末装置１０ｃが、トラッキング情報として、閲覧履歴を含む登録情報を用いる場合であっても、例えば、図１４で示すように、端末装置１０ｃは、購買情報を特定するための第２情報と登録情報とを第１サーバ２０ｃへ送信してもよい。
【０１８０】
（ＤＭＰ：Data Management Platform）
上記実施形態では、ＰＯＳ端末３０が第１情報及び購買情報を第１サーバ２０へ送信する場合を例に説明した。しかしながら、ＰＯＳ端末３０ｄは、ＰＯＳ端末３０ｄを管理する第３サーバ５０へ、第１情報及び購買情報を送信してもよい。第１サーバ２０ｄは、例えば、ＤＭＰ（Data Management Platform）として動作してもよい。
【０１８１】
図１８は、ＤＭＰとして機能する第１サーバ２０ｄがウェブサイトと関係する主体に報酬を付与する際の概念図である。図１９は、第１サーバ２０ｄがウェブサイトと関係する主体に報酬を付与する際の端末装置１０、第１サーバ２０ｄ、ＰＯＳ端末３０ｄ、第２サーバ４０、及び第３サーバ５０の動作を説明する図である。
【０１８２】
ＰＯＳ端末３０ｄは、会計処理（ステップＳ１４）が終了すると、購買情報と第１情報とを関連付け、関連付けた購買情報と、第１情報とを第３サーバ５０へ送信する（ステップＳ１１６）。
【０１８３】
第３サーバ５０は、購買情報及び第１情報を、内部の記憶部に記憶する（ステップＳ１１７）。
【０１８４】
第１サーバ２０ｄは、所定のタイミングで、第３サーバ５０へ購買情報及び第１情報を要求する（ステップＳ１１８）。所定のタイミングとは、例えば、以下である。
・第３サーバ５０から所定情報が通知されたとき（例えば、第３サーバ５０の記憶部に新たな購買情報及び第１情報が記憶された旨の通知、第３サーバ５０の記憶部に所定数の購買情報及び第１情報が記憶された旨の通知等）
・所定の周期
・所定の日付
・第１サーバ２０ｄの管理者から指示されたとき
【０１８５】
第３サーバ５０は、第１サーバ２０ｄからの要求を受けると、まだ第１サーバ２０ｄへ送信していない購買情報及び第１情報を第１サーバ２０ｄへ送信する（ステップＳ１１９）。
【０１８６】
第１サーバ２０ｄは、購買情報及び第１情報に基づき、ユーザが商品を購入する際に参照したウェブサイトと関係する主体に報酬を付与する（ステップＳ１６）。
【０１８７】
このように、上記実施形態では、第３サーバ５０は、ＰＯＳ端末３０ｄから送信される情報を記憶する。そして、第１サーバ２０ｄは、第３サーバ５０に記憶される情報を読み出し、読み出した情報に基づき、ウェブサイトと関係する主体へ報酬を付与するようにしている。これにより、第１サーバ２０ｄは、異なるサーバに記憶されている情報を用い、ウェブサイトと関係する主体へ報酬を付与することが可能となる。
【０１８８】
なお、ＰＯＳ端末３０ｄは、第１情報ではなく、トラッキング情報を第３サーバ５０へ送信してもよい。第３サーバ５０は、購買情報及びトラッキング情報を、内部の記憶部に記憶する。第３サーバ５０は、第１サーバ２０ｄからの要求を受けると、まだ第１サーバ２０ｄへ送信していない購買情報及びトラッキング情報を第１サーバ２０ｄへ送信する。
【０１８９】
第１サーバ２０ｄは、購買情報と、トラッキング情報とに基づき、ユーザが商品を購入する際に参照したウェブサイトと関係する主体に報酬を付与する。
【０１９０】
また、第１サーバ２０ｄがＤＭＰとして動作する場合であっても、例えば、図２０で示すように、通信装置３１は、購買情報と第１情報とを第３サーバ５０へ送信してもよい。
【０１９１】
また、第１サーバ２０ｄがＤＭＰとして動作する場合であっても、例えば、図２１で示すように、端末装置１０ｅは、購買情報を特定するための第２情報と、第１情報とを第３サーバ５０へ送信してもよい。なお、図２１において、端末装置１０ｅは、第２情報と第１情報とを第１サーバ２０ｄへ送信してもよい。
【０１９２】
以上、本開示のいくつかの実施形態を説明したが、これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【０１９３】
＜付記＞
以上の各実施形態で説明した事項を以下に付記する。
【０１９４】
（付記１）
商品と関連付けてウェブサイトを管理する手段（２０３２）と、実店舗に設置される装置（３０又は３１）により、ユーザがアクセスしたウェブサイトの履歴に関する履歴情報を、ユーザが所持する端末装置１０から取得する手段（３８１）と、実店舗に設置される装置により、ユーザが選択した商品の決済を行う手段（３８３）と、決済が終了すると、実店舗に設置される装置から、端末装置から取得した履歴情報と、商品の購買情報とを関連付けて送信する手段（３８２）と、関連付けられた履歴情報と、購買情報とに基づき、管理しているウェブサイトから、ユーザが商品の購入の際に参照したウェブサイトを特定する手段（２０３３）と、特定したウェブサイトと関係する主体へ報酬を付与する手段（２０３５）とを具備するシステム。
【０１９５】
（付記２）
ユーザがアクセスしたウェブサイトの履歴を表すトラッキング情報を記憶する手段（２０２３）を具備し、取得する手段は、実店舗に設置される装置により、ユーザのトラッキング情報を特定可能な第１情報を履歴情報として取得し、送信する手段は、第１情報と、商品の購買情報とを関連付けて送信し、購買情報と関連付けられている第１情報に基づき、記憶しているトラッキング情報から、商品を購入したユーザのトラッキング情報を履歴情報として取得する手段（２０３３）を具備し、特定する手段は、取得したトラッキング情報と、購買情報とに基づき、管理しているウェブサイトから、ユーザが商品の購入の際に参照したウェブサイトを特定する（付記１）に記載のシステム。
【０１９６】
（付記３）
送信する手段から送信された情報を記憶する手段（５０）を具備し、特定する手段は、記憶する手段に記憶されている情報を読み出してウェブサイトを特定する（付記１）又は（付記２）に記載のシステム。
【０１９７】
（付記４）
商品と関連付けてウェブサイトを管理する手段と、実店舗に設置される装置により、ユーザが選択した商品の決済を行う手段と、決済が終了すると、商品の購買情報を特定するための第２情報を、ユーザが所持する端末装置へ提供する手段と、決済が終了すると、実店舗に設置される装置から、商品の購買情報を送信する手段と、第２情報と、第２情報と関連付けられた、ユーザがアクセスしたウェブサイトの履歴に関する履歴情報とを、端末装置から受信する手段と、関連付けられた履歴情報と、第２情報によって特定される購買情報とに基づき、管理しているウェブサイトから、ユーザが商品の購入の際に参照したウェブサイトを特定する手段と、特定したウェブサイトと関係する主体へ報酬を付与する手段とを具備するシステム。
【０１９８】
（付記５）
ユーザがアクセスしたウェブサイトの履歴を表すトラッキング情報を記憶する手段を具備し、受信する手段は、第２情報と、第２情報と関連付けられた、ユーザのトラッキング情報を特定可能な、履歴情報としての第１情報とを、端末装置から受信し、第２情報と関連付けられている第１情報に基づき、記憶しているトラッキング情報から、商品を購入したユーザのトラッキング情報を履歴情報として取得する手段を具備し、特定する手段は、取得したトラッキング情報と、第２情報によって特定される購買情報とに基づき、管理しているウェブサイトから、ユーザが商品の購入の際に参照したウェブサイトを特定する（付記４）に記載のシステム。
【０１９９】
（付記６）
受信する手段で受信された情報を記憶する手段を具備し、特定する手段は、記憶する手段に記憶されている情報を読み出してウェブサイトを特定する（付記４）又は（付記５）に記載のシステム。
【０２００】
（付記７）
特定する手段は、参照したウェブサイトが複数ある場合、ユーザがアクセスした日時、ウェブサイトの更新日時、他ユーザからの評価、付与された報酬、ウェブサイトの容量、及び、ユーザの評価の少なくともいずれかに基づいてウェブサイトを特定する（付記１）乃至（付記６）のいずれかに記載のシステム。
【０２０１】
（付記８）
付与する手段は、ウェブサイトのユーザに視認可能に報酬を付与する（付記１）乃至（付記７）のいずれかに記載のシステム。
【０２０２】
（付記９）
ユーザにより購入された商品の提供元へ費用を請求する手段を具備する（付記１）乃至（付記８）のいずれかに記載のシステム。
【０２０３】
（付記１０）
プロセッサと、メモリとを備えるコンピュータが実行する方法であって、商品と関連付けてウェブサイトを管理するステップと、実店舗に設置される装置により、ユーザがアクセスしたウェブサイトの履歴に関する履歴情報を、ユーザが所持する端末装置から取得するステップと、実店舗に設置される装置により、ユーザが選択した商品の決済を行うステップと、決済が終了すると、実店舗に設置される装置から、端末装置から取得した履歴情報と、商品の購買情報とを関連付けて送信するステップと、関連付けられた履歴情報と、購買情報とに基づき、管理しているウェブサイトから、ユーザが商品の購入の際に参照したウェブサイトを特定するステップと、特定したウェブサイトと関係する主体へ報酬を付与するステップとを実行する方法。
【０２０４】
（付記１１）
プロセッサと、メモリとを備えるコンピュータが実行する方法であって、商品と関連付けてウェブサイトを管理するステップと、実店舗に設置される装置により、ユーザが選択した商品の決済を行うステップと、決済が終了すると、商品の購買情報を特定するための第２情報を、ユーザが所持する端末装置へ提供するステップと、決済が終了すると、実店舗に設置される装置から、商品の購買情報を送信するステップと、第２情報と、第２情報と関連付けられた、ユーザがアクセスしたウェブサイトの履歴に関する履歴情報とを、端末装置から受信するステップと、関連付けられた履歴情報と、第２情報によって特定される購買情報とに基づき、管理しているウェブサイトから、ユーザが商品の購入の際に参照したウェブサイトを特定するステップと、特定したウェブサイトと関係する主体へ報酬を付与するステップとを実行する方法。
【符号の説明】
【０２０５】
１…システム
１０〜１０ｅ…端末装置
１２…通信ＩＦ
１２１…通信部
１３…入力装置
１３１…マウス
１３２…キーボード
１３３…タッチ・センシティブ・デバイス
１３４…マイク
１４…出力装置
１４１…ディスプレイ
１４２…スピーカ
１５…メモリ
１６…ストレージ
１６０…カメラ
１７０…記憶部
１７１…トラッキング情報
１８０…制御部
１８１…操作受付部
１８２…通信制御部
１８３…会計処理部
１８４…表示制御部
１９…プロセッサ
２０〜２０ｄ…第１サーバ
２０１…通信部
２０２…記憶部
２０２１…ウェブサイト情報ＤＢ
２０２２…商品情報ＤＢ
２０２３…トラッキング情報ＤＢ
２０２４…販売情報ＤＢ
２０３…制御部
２０３１…送受信部
２０３２…管理部
２０３３…第１特定部
２０３４…第２特定部
２０３５…付与部
２０３６…請求部
２２…通信ＩＦ
２３…入出力ＩＦ
２５…メモリ
２６…ストレージ
２９…プロセッサ
３０〜３０ｄ…ＰＯＳ端末
３１…通信装置
３２…通信ＩＦ
３２１…通信部
３３…入力装置
３３１…リーダー
３３２…キーボード
３３３…タッチ・センシティブ・デバイス
３３４…マイク
３４…出力装置
３４１…ディスプレイ
３４２…スピーカ
３５…メモリ
３６…ストレージ
３７０…記憶部
３７１…商品情報
３８０…制御部
３８１…操作受付部
３８２…通信制御部
３８３…会計処理部
３８４…関連付け部
３８５…表示制御部
３９…プロセッサ
４０…第２サーバ
５０…第３サーバ
８０…ネットワーク
【要約】
【課題】利用者への負担を避けながら、商品を購入するきっかけとなったサイトに報酬を付与すること。
【解決手段】商品と関連付けてウェブサイトを管理する手段と、実店舗に設置される装置により、ユーザがアクセスしたウェブサイトの履歴に関する履歴情報を、ユーザが所持する端末装置から取得する手段と、実店舗に設置される装置により、ユーザが選択した商品の決済を行う手段と、決済が終了すると、実店舗に設置される装置から、端末装置から取得した履歴情報と、商品の購買情報とを関連付けて送信する手段と、関連付けられた履歴情報と、購買情報とに基づき、管理しているウェブサイトから、ユーザが商品の購入の際に参照したウェブサイトを特定する手段と、特定したウェブサイトと関係する主体へ報酬を付与する手段とを具備するシステム。
【選択図】図９【図１】
0006963702.tif 000002
【図２】
0006963702.tif 000003
【図３】
0006963702.tif 000004
【図４】
0006963702.tif 000005
【図５】
0006963702.tif 000006
【図６】
0006963702.tif 000007
【図７】
0006963702.tif 000008
【図８】
0006963702.tif 000009
【図９】
0006963702.tif 000010
【図１０】
0006963702.tif 000011
【図１１】
0006963702.tif 000012
【図１２】
0006963702.tif 000013
【図１３】
0006963702.tif 000014
【図１４】
0006963702.tif 000015
【図１５】
0006963702.tif 000016
【図１６】
0006963702.tif 000017
【図１７】
0006963702.tif 000018
【図１８】
0006963702.tif 000019
【図１９】
0006963702.tif 000020
【図２０】
0006963702.tif 000021
【図２１】
0006963702.tif 000022